(57)【要約】【課題】携帯時にバッグとして使用しても外観の良いベビーホルダーの提供を目的とする。【解決手段】シート状背当て部１０と、前記背当て部１０の下端側に取付けられて使用者の腰回りに装着するウエストベルト２０と、両端を前記背当て部１０の上端側左右に取付けられるショルダーベルト３０とを備えるベビーホルダー１において、前記背当て部１０の背面側上部にポケット１１，１２を具備するとともに、前記背当て部１０の上端部に前面側に垂下するフラップ１３が設けられている。そして、フラップ１３を折り上げられた背当て部１０に被せることによって背当て部１０およびウエストベルト２０が収納保持される。【選択図】    図１
2004154468.tif 000002
【特許請求の範囲】
【請求項１】
シート状背当て部と、前記背当て部の下端側に取付けられて使用者の腰回りに装着するウエストベルトと、両端を前記背当て部の上端側左右に取付けられるショルダーベルトとを備えるベビーホルダーにおいて、
前記背当て部の背面側上部にポケットを具備するとともに、背当て部の上部に前記ウエストベルトが収納されることを特徴とするベビーホルダー。
【請求項２】
前記ウエストベルトが背当て部の下部とともに上方に折り上げられ、背当て部の下部とともに該背当て部の前面側上部に沿わせた状態に保持される請求項１に記載のベビーホルダー。
【請求項３】
前記背当て部の上端部に前面側に垂下するフラップが設けられ、該フラップを折り上げられた背当て部に被せることによって背当て部およびウエストベルトを保持する請求項２に記載のベビーホルダー。
【請求項４】
前記背当て部の背面側中間部にタブが設けられ、該タブに前記フラップを係合させることによって背当て部およびウエストベルトを保持する請求項３に記載のベビーホルダー。
【請求項５】
前記背当て部の上部に袋状収納部が設けられ、該袋状収納部内に背当て部およびウエストベルトが収納される請求項１に記載のベビーホルダー。
【請求項６】
前記背当て部は前記袋状収納部内に固着され、開閉口を介して背当て部およびウエストベルトが引き出される請求項５に記載のベビーホルダー。
【発明の詳細な説明】
【０００１】
【発明の属する技術分野】
この発明は、幼児をだっこして移動する際に使用されるベビーホルダー、特に簡易にだっこして携帯にも便利なベビーホルダーに関する。
【０００２】
【従来の技術】
幼児をだっこするベビーホルダーとして、図７（Ａ）（Ｂ）に示すようなものがある。このベビーホルダー（６０）は、一枚のシート状背当て部（６１）の下端部にウエストベルト（６２）を取付けるとともに、上端部に１本のショルダーベルト（６３）を左右に架け渡しただけの簡易なものであり、前記ウエストベルト（６２）を使用者の腰回りに装着し、ショルダーベルト（６３）を一方の肩にたすき掛けにして、だっこした幼児を補助的に支えながら使用する。また、使用しない時は、ショルダーベルト（６３）を背当て部（６１）で包みながらウエストベルト（６２）の周りに巻き付けてその周囲をロールアップベルト（６４）等で留め、図７（Ｂ）に示すようにウエストベルト（６２）で身体に装着したり、ウエストベルトを手提げ紐として使用する等して携帯することができる。
【０００３】
前記ベビーホルダー（６０）は、両肩にショルダーベルトを掛けておんぶやだっこするタイプのベビーキャリアと比較すると、装着動作が簡単であり、また部品点数が少ないために非常に軽量であって携帯時にも嵩張らないという長所がある。
しかし、小物手回り品の携帯に不便を感じることがあり、また、携帯時の外観に難点があった。
【０００４】
そこで出願人は、背当て部の背面側に小物を入れるポケットを設けるとともに、携帯時に背当て部の下半部にウエストベルトを収納し、ショルダーバッグのように携帯できるベビーホルダーを出願した（特許文献１参照）。
【０００５】
【特許文献１】
特開平１１−２５８６９４号公報（特許請求の範囲、図１等）
【０００６】
【発明が解決しようとする課題】
しかし、上記ベビーホルダーは、背当て部の背面ポケットの下方にウエストベルトを収納する構造であり、バッグとしての外観に不満を感じる使用者もあり、改善が求められている。
【０００７】
この発明は、上述の技術背景に鑑み、携帯時にバッグとして使用しても外観の良いベビーホルダーの提供を目的とする。
【０００８】
【課題を解決するための手段】
前記目的を達成するために、この発明のベビーホルダーは、シート状背当て部と、前記背当て部の下端側に取付けられて使用者の腰回りに装着するウエストベルトと、両端を前記背当て部の上端側左右に取付けられるショルダーベルトとを備えるベビーホルダーにおいて、前記背当て部の背面側上部にポケットを具備するとともに、背当て部の上部に前記ウエストベルトが収納されることを基本要旨とする。
【０００９】
前記ベビーホルダーにおいて、前記ウエストベルトが背当て部の下部とともに上方に折り上げられ、背当て部の下部とともに該背当て部の前面側上部に沿わせた状態に保持されることが好ましい。前記保持方法としては、背当て部の上端部に前面側に垂下するフラップが設けられ、該フラップを折り上げられた背当て部に被せることによって背当て部およびウエストベルトを保持することが好ましい。さらに、前記背当て部の背面側中間部にタブが設けられ、該タブに前記フラップを係合させることによって背当て部およびウエストベルトを保持することが好ましい。
【００１０】
また、この発明のベビーホルダーにおいて、前記背当て部の上部に袋状収納部が設けられ、該袋状収納部内に背当て部およびウエストベルトが収納されることが好ましい。さらに、前記背当て部は前記袋状収納部内に固着され、開閉口を介して背当て部およびウエストベルトが引き出されることが好ましい。
【００１１】
【発明の実施の形態】
この発明の好適な２つの実施形態を図示例に基づいて以下に説明する。
〔第一実施形態〕
図１〜４に示すベビーホルダー（１）は、背当て部（１０）、ウエストベルト（２０）およびショルダーベルト（３０）から構成されている。
【００１２】
前記背当て部（１０）は、幼児の背中から臀部までを覆う長さを有し、上端側は幼児の背から脇を保持するためにやや幅広に形成される一方で、下端側は幼児の足を左右に出しやすいようにやや幅小に形成され、全体として略逆台形に形成されている。
【００１３】
前記背当て部（１０）の上部の背面側には、ファスナーで開閉する箱形ポケット（１１）とその両脇に投げ込みポケット（１２）（１２）の２種類３個のポケットが設けられている。また、上端縁には半円形のフラップ（１３）が縫着され、背当て部（１０）の前面側に垂下している。また、前記箱形ポケット（１１）の下方にはタブ（１４）が縫着され、図１に示す背当て部（１０）の展開状態において垂下している。そして、前記フラップ（１３）とタブ（１４）とは、それぞれに縫着された一対の面ファスナー（１５ａ）（１５ｂ）によって係合される。また、背当て部（１０）の左右両端には保護ベルト（１６）（１６）が縫着され、先端のバックル（１７ａ）（１７ｂ）を連結することによって幼児の身体に巻き留めて幼児の脱落を防止するものとなされている。
【００１４】
前記背当て部（１０）の下端にウエストベルト（２０）が縫着されている。このウエストベルト（２０）は、両先端部に互いに対をなすバックル（２１ａ）（２１ｂ）が取付けられて、分離自在に止着連結することができる。
【００１５】
前記ショルダーベルト（３０）は、その両端が背当て部（１０）の上端左右に縫着され、使用者の左右どちらか一方の肩にたすき掛けにされる。なお、図中、（３１）はショルダーベルト（３０）の長さを調節する調節具、（３２）は肩パッドである。
【００１６】
次に、前記ベビーホルダー（１）を用いた幼児抱持方法、およびベビーホルダー（１）携帯方法を説明する。
（幼児抱持方法）
図３に示すように、背当て部（１０）を使用者の腹部側に配置してウエストベルト（２０）を腰に回し、バックル（２１ａ）（２１ｂ）を連結して装着する。また、ショルダーベルト（３０）は、幼児を収容しやすいように長い目に調節しておく。そして、背当て部（１０）内に幼児を収容するとともに、ショルダーベルト（３０）を使用者のどちらか一方の肩にたすき掛けにしたのち、ショルダーベルト（３０）の長さを適正な長さに調節する。また、背当て部（１０）のポケット（１１）（１２）は適宜物入れとして利用する。
【００１７】
また、前記フラップ（１３）は図示したように背当て部（１０）の内面側に垂下させて使用しても良いし、背面側にはね上げて箱形ポケット（１１）上でタブ（１４）と係合させておくこともできる（図示省略）。
（携帯方法）
図４（Ａ）（Ｂ）に示すように、ウエストベルト（２０）を背当て部（１０）の幅に合わせて適宜折り畳み、背当て部（１０）のポケット（１１）（１２）より下側の部分（以下、下部と称する）でウエストベルト（２０）を包んで下部を内側に折り上げ、該背当て部（１０）の前面側上部に沿わせる。そして、フラップ（１３）を折り上げた背当て部（１０）に被せ、背当て部（１０）の折り上げによって上向きとなったタブ（１４）をフラップ（１３）に重ねて面ファスナー（１５ａ）（１５ｂ）を係合させる。これにより、ウエストベルト（２０）は背当て部（１０）の下部とともに背当て部（１０）の前面側上部に収納保持される。また、フラップ（１３）が折り上げられた背当て部（１０）を広範囲に覆うことで、外れにくく安定した保持状態が得られる。また、背当て部（１０）が隠されることで外観も良い。
【００１８】
このウエストベルト（３０）の収納状態において、ポケット（１１）（１２）の収納機能は幼児抱持時と何ら変わりないから、ポケット（１１）（１２）内に小物を収納したまま、ショルダーベルト（３０）を利用してショルダーバッグとして、あるいはショルダーベルト（３０）の長さを短くして手提げバッグとして携帯することができる。しかも、従来のベビーホルダーにフラップとタブを付加するだけの簡単な構造でウエストベルト（３０）を収納することができる。
【００１９】
前記ベビーホルダー（１）において、ウエストベルト（２０）と背当て部（１０）の収納保持手段として、図示したフラップ（１３）とタブ（１４）の組み合わせるものの他、どちらか一方のみを用いて保持することこともできる。即ち、タブ（１４）を設けずフラップ（１３）を折り上げた背当て部（１０）に直接留め付けても良いし、またフラップ（１３）を設けずタブ（１３）の長さを図示例よりも長く形成して先端部を背当て部（１０）の上端縁またはその近傍に留め付けることもできる。フラップおよびタブの寸法形状、これらの係着具も何ら限定されず、図示した面ファスナーの他、スナップやボタン等を適宜使用することができる。さらに、フラップやタブを用いずに、折り上げた背当て部を直接留め付けるように、背当て部（１０）の背面側と前面側上部とに係着具を取り付けたものの本発明に含まれる。
〔第２実施形態〕
図５（Ａ）（Ｂ）および図６に示すベビーホルダー（２）は、上記ベビーホルダー（１）とはウエストベルト（２０）の収納方法が相違する。なお、図５、６において、図１〜４と同じ符号を付したものは上記ベビーホルダー（１）と同じ機能を示すものであり、説明を省略する。
【００２０】
（４０）は、背面部（４０ａ）と前面部（４０ｂ）の２枚のシートを襠（４０ｃ）を介して縫着することによって形成された正面視略長方形の袋状収納部であり、前面部（４０ｂ）（幼児に背が当たる側）の下端からやや上方にファスナーによる開閉口（４１）が設けられている。また、前記袋状収納部（４０）の背面部（４０ａ）に３つの箱形ポケット（４２）（４２）（４２）と袋状ポケット（４３）が設けられ、図５（Ａ）（Ｂ）に示す背当て部（５０）およびウエストベルト（２０）収納状態において、背面部（４０ａ）側からも前面部（４０ｂ）側からもこれら（５０）（２０）を視認することはできず、全体としてポケット付きショルダーバッグの外観を呈している。
【００２１】
背当て部（５０）は略逆台形であり、その上端縁が袋状収納部（４０）の内部上端で縫着され、開かれた開閉口（４１）から引き出すことができる。また、前記背当て部（５０）は開閉口（４１）の近傍においても開閉口（４１）に平行に縫着され、後述する幼児抱持時に袋状収納部（４０）が不本意にずれて幼児に不快さを与えることを防いでいる。
【００２２】
また、ショルダーベルト（３０）は、袋状収納部（４０）を介して前記背当て部（５０）の上端左右に縫着されている。
【００２３】
次に、前記ベビーホルダー（２）における幼児抱持方法および携帯方法を説明する。
（幼児抱持方法）
図６に示すように、袋状収納部（４０）の開閉口（４１）を開いて背当て部（５０）を引出して展開する。この展開状態において、背当て部（５０）の上部は袋状収納部（４０）の前面部（４０ｂ）に覆われ、幼児の背は袋状収納部（４０）を介して背当て部（５０）に接することとなる。そして、上記ベビーホルダー（１）と同様に、バックル（２１ａ）（２１ｂ）の連結によってウエストベルト（２０）を使用者に装着し、背当て部（４０）内に幼児を収容して幼児を抱持する。
（携帯方法）
図５（Ａ）（Ｂ）に示すように、引き出された背当て部（５０）およびウエストベルト（２０）（２０）を袋状収納部（４０）内に収納し、開閉口（４１）を閉じる。
【００２４】
本実施形態のベビーホルダー（２）では、背当て部（５０）と袋状収納部（４０）をそれぞれ別の部材で形成しているが、袋状収納部の前面部またはその一部、あるいは相面部またはその一部を背当て部と兼用させることもできる。また、前記ショルダーベルト（３０）は背当て部（５０）に直接縫着する他、袋状収納部（４０）に縫着するものとし、背当て部（５０）に対して間接的に取り付けることもできる。ショルダーベルト（３０）を間接的に背当て部（５０）に取り付けたものも本発明に含まれる。
【００２５】
上述した２種類のベビーホルダー（１）（２）は、ベビーホルダーとして幼児を抱持したときにポケット（１１）（１２）（４２）（４３）に小物を収納でき、かつ携帯時には単なる荷物としてではなく、収納した小物を持ち運ぶバッグとして利用することができる。無論、抱持時と携帯時とでポケット内の収納物の取り出しや入れ替えの必要はない。
【００２６】
【発明の効果】
以上の次第で、請求項１にかかる発明によれば、ベビーホルダーとして幼児を抱持したときにポケット内に小物を収納でき、かつ携帯時にはウエストベルトを収納することによって小物を持ち運ぶショルダーバッグとして利用することができる。無論、だっこ時と携帯時とでポケット内の収納物の取り出しや入れ替えの必要はなく、外観も良い。
【００２７】
請求項２〜４にかかる発明によれば、簡単な構造でウエストベルトを収納できる。特にフラップを設けたベビーホルダーでは、折り上げたウエストベルトと背当て部がフラップに覆われるために外観が良く、かつ安定した収納保持状態が得られる。
【００２８】
請求項５、６にかかる発明によれば、携帯時にウエストベルトと背当て部が外からは見えない状態で袋状収納部内に収納されるため、特に外観が良い。
【図面の簡単な説明】
【図１】この発明にかかる第１実施形態のベビーホルダーを背面側から見た全体斜視図である。
【図２】図１のベビーホルダーを前面側から見た全体斜視図である。
【図３】図１のベビーホルダーによる幼児抱持状態を示す斜視図である。
【図４】ベビーホルダーの携帯方法を示す斜視図であり、（Ａ）は前面側から見た斜視図、（Ｂ）は背面側から見た斜視図である。
【図５】この発明にかかる第２実施形態のベビーホルダーの携帯状態を示す図であり、（Ａ）を背面側から見た斜視図、（Ｂ）は前面側から見た斜視図である。
【図６】図５のベビーホルダーにおいて、背当て部の展開状態を示す斜視図である。
【図７】従来のベビーホルダーの斜視図であり、（Ａ）は使用状態を示し、（Ｂ）は携帯状態を示している。
【符号の説明】
１、２…ベビーホルダー
１０、５０…背当て部
２０…ウエストベルト
３０…ショルダーベルト
１１…箱形ポケット（ポケット）
１２…投げ込みポケット（ポケット）
１３…フラップ
１４…タブ
１５ａ、１５ｂ…面ファスナー
４０…袋状収納部（収納部）
４１…開閉口
４２…箱形ポケット（ポケット）
４３…袋状ポケット（ポケット）
【図１】
2004154468.tif 000003
【図２】
2004154468.tif 000004
【図３】
2004154468.tif 000005
【図４】
2004154468.tif 000006
【図５】
2004154468.tif 000007
【図６】
2004154468.tif 000008
【図７】
2004154468.tif 000009